(57)【要約】【課題】モバイルデバイスの画面で、横１行分のテキストデータを横方向に流すのとは異なる、新しい情報の表示を提供できるようにすること。【解決手段】モバイルデバイスが実行する方法であって、  個々の情報に関するデータと、個々の情報に関するデータをページにレイアウトするためのレイアウトデータとを、サイトから読み込む工程と、  レイアウトデータに従って個々の情報に関するデータがレイアウトされたページを作る工程と、  非操作状態のとき、ページをスクロールしながら表示する工程とを含むことを特徴とする情報表示方法。【選択図】なし【特許請求の範囲】
【請求項１】
モバイルデバイスが実行する方法であって、
個々の情報に関するデータと、個々の情報に関するデータをページにレイアウトするためのレイアウトデータとを、サイトから読み込む工程と、
レイアウトデータに従って個々の情報に関するデータがレイアウトされたページを作る工程と、
非操作状態のとき、ページをスクロールしながら表示する工程とを含むことを特徴とする情報表示方法。
【請求項２】
操作状態のとき、
ページを表示する工程と、
表示しているページを、ユーザにスクロールさせる工程と、
表示しているページとハイパーリンクで結ばれているページを、ユーザに参照させる工程とを含むことを特徴とする請求項１に記載の情報表示方法。
【請求項３】
個々の情報に関するデータと、個々の情報に関するデータをページにレイアウトするためのレイアウトデータとを、サイトから読み込む工程と、
レイアウトデータに従って個々の情報に関するデータがレイアウトされたページを作る工程と、
非操作状態のとき、ページをスクロールしながら表示する工程とをモバイルデバイスに実行させることを特徴とする情報表示プログラム。
【請求項４】
操作状態のとき、
ページを表示する工程と、
表示しているページを、ユーザにスクロールさせる工程と、
表示しているページとハイパーリンクで結ばれているページを、ユーザに参照させる工程とをモバイルデバイスに実行させることを特徴とする請求項３に記載の情報表示プログラム。
【請求項５】
個々の情報関するデータと、個々の情報に関するデータをページにレイアウトするためのレイアウトデータとを、サイトから読み込む機能と、
レイアウトデータに従って個々の情報に関するデータがレイアウトされたページを作る機能と、
非操作状態のとき、ページをスクロールしながら表示する機能とを有することを特徴とするモバイルデバイス。
【請求項６】
操作状態のとき、
ページを表示する機能と、
表示しているページを、ユーザにスクロールさせる機能と、
表示しているページとハイパーリンクで結ばれているページを、ユーザに参照させる機能とを有することを特徴とする請求項５に記載のモバイルデバイス。
【発明の詳細な説明】
【技術分野】
【０００１】
本発明は、情報を表示する技術に関する。
【背景技術】
【０００２】
従来、携帯電話やＰＨＳ（Ｐｅｒｓｏｎａｌ  Ｈａｎｄｙｐｈｏｎｅ  Ｓｙｓｔｅｍ）などのモバイルデバイスの画面に、情報を表示する方法としては、図１に示すように、横１行分のテキストデータを、画面に横方向に流すものがある。この方法では、モバイルデバイスは、配信されるテキストデータをそのまま全て読み込み、時間の経過に従って表示するテキストデータの部分を変えている。この方法には、以下のような問題点がある。
【０００３】
第１に、一度に表示できる文字数が少ないので、すぐに読み終わってしまう。
【０００４】
第２に、レイアウトが横１直線と定まっており、任意のレイアウトにすることができない。
【０００５】
第３に、画面の一部しか使用できない。
【０００６】
第４に、図２に示すように、横１行分のテキストデータを、複数、画面に横方向に流したとしても、流すテキストデータは別々であり、１続きのテキストデータとして表示できない。
【発明の開示】
【発明が解決しようとする課題】
【０００７】
本発明は斯かる背景技術に鑑みてなされたもので、モバイルデバイスの画面で、横１行分のテキストデータを横方向に流すのとは異なる、新しい情報の表示を提供できるようにすることを課題とする。
【課題を解決するための手段】
【０００８】
本発明において上記の課題を達成するために、まず請求項１の発明では、
モバイルデバイスが実行する方法であって、
個々の情報に関するデータと、個々の情報に関するデータをページにレイアウトするためのレイアウトデータとを、サイトから読み込む工程と、
レイアウトデータに従って個々の情報に関するデータがレイアウトされたページを作る工程と、
非操作状態のとき、ページをスクロールしながら表示する工程とを含むことを特徴とする情報表示方法としたものである。
【０００９】
また請求項２の発明では、
操作状態のとき、
ページを表示する工程と、
表示しているページを、ユーザにスクロールさせる工程と、
表示しているページとハイパーリンクで結ばれているページを、ユーザに参照させる工程とを含むことを特徴とする請求項１に記載の情報表示方法としたものである。
【００１０】
また請求項３の発明では、
個々の情報に関するデータと、個々の情報に関するデータをページにレイアウトするためのレイアウトデータとを、サイトから読み込む工程と、
レイアウトデータに従って個々の情報に関するデータがレイアウトされたページを作る工程と、
非操作状態のとき、ページをスクロールしながら表示する工程とをモバイルデバイスに実行させることを特徴とする情報表示プログラムとしたものである。
【００１１】
また請求項４の発明では、
操作状態のとき、
ページを表示する工程と、
表示しているページを、ユーザにスクロールさせる工程と、
表示しているページとハイパーリンクで結ばれているページを、ユーザに参照させる工程とをモバイルデバイスに実行させることを特徴とする請求項３に記載の情報表示プログラムとしたものである。
【００１２】
また請求項５の発明では、
個々の情報関するデータと、個々の情報に関するデータをページにレイアウトするためのレイアウトデータとを、サイトから読み込む機能と、
レイアウトデータに従って個々の情報に関するデータがレイアウトされたページを作る機能と、
非操作状態のとき、ページをスクロールしながら表示する機能とを有することを特徴とするモバイルデバイスとしたものである。
【００１３】
また請求項６の発明では、
操作状態のとき、
ページを表示する機能と、
表示しているページを、ユーザにスクロールさせる機能と、
表示しているページとハイパーリンクで結ばれているページを、ユーザに参照させる機能とを有することを特徴とする請求項５に記載のモバイルデバイスとしたものである。
【発明の効果】
【００１４】
請求項１、３、及び５の発明では、携帯電話やＰＨＳなどのモバイルデバイスの非操作状態の画面に、個々の情報に係わるテキストデータや画像データなどのデータが、奇麗にレイアウトされたページを、自動的にスクロールしながら表示するので、横１行分のテキストデータを横方向に流す場合と比較して、圧倒的に多くの情報を見栄良くユーザに提供できるという効果がある。
【００１５】
請求項２、４、及び６の発明では、ユーザは、携帯電話やＰＨＳなどのモバイルデバイスを、非操作状態から操作状態に切り替えて、非操作状態の画面に表示されていたページとハイパーリンクで結ばれている他のページを参照することにより、より詳細な情報を知ることができるという効果がある。
【００１６】
以上、本発明は、モバイルデバイスの画面で、横１行分のテキストデータを横方向に流すのとは異なる、新しい情報の表示を提供できるという効果がある。
【発明を実施するための最良の形態】
【００１７】
以下に、本発明の最良の一実施形態を説明する。
【００１８】
本実施形態の情報表示方法は、プログラムにより、モバイルデバイスが実行するものである。
【００１９】
本実施形態の情報表示方法では、モバイルデバイスの画面を、図３に示すように、下か
ら順に、背景レイヤーと、スキンレイヤーと、情報レイヤーとを重ね合わせたもので構成する。
【００２０】
背景レイヤーは、最下位に位置し、情報の背景となる画像（以後、背景画像とも呼ぶ）を表示するためのレイヤーである。図４に、背景画像を表示した背景レイヤーの例を示す。背景レイヤーに表示する背景画像を、ユーザに設定させても良い。
【００２１】
スキンレイヤーは、背景レイヤーと、情報レイヤーとの中間に位置し、情報に添えて、情報を飾る物（以後、スキンとも呼ぶ）を表示するためのレイヤーである。図５に、スキンを表示したスキンレイヤーの例を示す。スキンレイヤーに表示するスキンを、ユーザに設定させても良い。
【００２２】
情報レイヤーは、最上位に位置し、図６に示すように、情報の表示領域を有する。
【００２３】
ページデータは、個々の情報に関するテキストデータや画像データなどのデータと、個々の情報に関するデータをページにレイアウトするためのレイアウトデータとを含む。モバイルデバイスは、事前に、サイト（サーバとも云う）からページデータを読み込んで、個々の情報に関するデータを、レイアウトデータに従って、レイアウトにして、情報の表示領域と同じ幅のページを作る。このページの例を、図７に示す。
【００２４】
モバイルデバイスは、ページを、情報の表示領域に収まる分だけ、情報の表示領域に表示する。図８に、情報の表示領域に、図７に示すページの先頭部分を表示した、情報レイヤーの例を示す。
【００２５】
また図９に、図４の背景レイヤーと、図５のスキンレイヤーと、図８の情報レイヤーとを、重ね合わせて構成される画面の例を示す。図９に示す画面の例から分かるように、スキンと背景画像とが表示されていることにより、情報の見栄えが良くなるという効果がある。また、スキンと背景画像とをユーザに設定させることにより、ユーザが画面を見飽きないという効果がある。
【００２６】
モバイルデバイスが非操作状態のとき、モバイルデバイスは、ページを、先頭から後尾へ、ゆっくりと自動的にスクロールして、ページに記載されている各情報を、ユーザが読み取れるようにする。ページの後尾まで表示し終えると、モバイルデバイスは、再び、ページを、先頭から後尾へ、ゆっくりと自動的にスクロールする。自動的にスクロールする速度は、ユーザに設定させても良い。
【００２７】
非操作状態の画面（待ち受け画面とも云う）に表示されるページ（トップページとも云う）は、所定の形式を持つ。例えば、トップページは、図７に示すように、現在時間、トップ記事、写真付き記事、ジャンル別新着見出し、で構成される。
【００２８】
現在時間は、現在の時間を、年月時分で表したものである。
【００２９】
トップ記事は、見出しと抄録と［全文へ］とから構成され、［全文へ］には、この記事の全文が掲載されているページへのハイパーリンクが埋め込まれている。
【００３０】
写真付き記事は、写真サムネール（小）とキャプションとから構成され、写真サムネール（小）には、この記事の写真と全文とが掲載されているページへのハイパーリンクが埋め込まれている。
【００３１】
ジャンル別新着見出しは、ジャンル別に、記事の見出しを、最も新しいものから順に所
定の数（例えば３件）だけ並べたものである。各記事の見出しには、各記事の全文が掲載されているページへのハイパーリンクが埋め込まれている。
【００３２】
トップページの形式は、ユーザに設定させても良い。例えば、写真付き記事を掲載するか否かを、ユーザに設定させても良い。また例えば、ジャンル別新着見出しに、どのジャンルを掲載するかを、ユーザに設定させても良い。
【００３３】
非操作状態のモバイルデバイスは、情報レイヤーにおいて、情報の表示領域の外にも、文字や画像を表示しても良い。例えば、情報の表示領域の外に、今日の天気を文字や画像で表示しても良い。この場合、どの地域の今日の天気を表示するかは、ユーザに設定させる。また、この場合、トップページのデータには、ユーザが設定した地域の今日の天気に関するデータも含まれ、このデータに基づいて、今日の天気が表示される。
【００３４】
モバイルデバイスは、トップページのデータについて、最新のものを、ユーザの設定した時間間隔で、サイトから読み込み、このトップページのデータに基づいて、トップページの表示を更新する。
【００３５】
モバイルデバイスが操作状態のとき、モバイルデバイスの備えるキー操作で、ユーザは、ページをスクロールできる。また、モバイルデバイスが操作状態のとき、ユーザは、画面に表示されているページに埋め込まれているハイパーリンクを辿って、他のページを画面に表示させることができる。従って、ユーザは、モバイルデバイスを、非操作状態から操作状態に変えると、トップページに埋め込まれているハイパーリンクを辿って、他のページを画面に表示させることができる。
【００３６】
ユーザが、ハイパーリンクを辿って、他のページを画面に表示させるごとに、モバイルデバイスは、スキンレイヤーに表示するスキンを変えても良い。スキンを変えることにより、ユーザが画面を見飽きないという効果が、一層大きくなる。
【図面の簡単な説明】
【００３７】
【図１】１行分のテキストデータのみを表示する従来例を示す図。
【図２】２行分のテキストデータのみを表示する従来例を示す図。
【図３】画面のレイヤー構造を示す図。
【図４】背景画像を表示した背景レイヤーの例を示す図。
【図５】スキンを表示したスキンレイヤーの例を示す図。
【図６】情報レイヤーが有する情報の表示領域の例を示す図。
【図７】ページの例を示す図。
【図８】情報の表示領域に、図７に示すページの先頭部分を表示した、情報レイヤーの例を示す図。
【図９】図４の背景レイヤーと、図５のスキンレイヤーと、図８の情報レイヤーとを、重ね合わせて構成される画面の例を示す図。
【図１】
2006058933.tif 000002
【図２】
2006058933.tif 000003
【図３】
2006058933.tif 000004
【図４】
2006058933.tif 000005
【図５】
2006058933.tif 000006
【図６】
2006058933.tif 000007
【図７】
2006058933.tif 000008
【図８】
2006058933.tif 000009
【図９】
2006058933.tif 000010